(57)【要約】【課題】  作業者の負担が小さく、簡便で作業性が高い伝送器のサポートツールを提供する。また、ユーザデータが正確に設定できる伝送器のサポートツールを提供する。【解決手段】  流量設定入力画面を介して入力されたユーザデータから流量を計測し伝送する伝送器に対する伝送器パラメータを自動計算し、前記伝送器パラメータを前記伝送器の外部から前記伝送器内へダウンロードして、前記伝送器内の演算に係る設定を行う、伝送器のサポートツールにおいて、前記ユーザデータの設定順序を視覚的に表示する流量設定順序表示器を備えたことを特徴とする伝送器のサポートツール。【選択図】                    図１
2006214789.tif 000002
【特許請求の範囲】
【請求項１】
流量設定入力画面を介して入力されたユーザデータから流量を計測し伝送する伝送器に対する伝送器パラメータを自動計算し、前記伝送器パラメータを前記伝送器の外部から前記伝送器内へダウンロードして、前記伝送器内の演算に係る設定を行う、伝送器のサポートツールにおいて、
前記ユーザデータの設定順序を視覚的に表示する流量設定順序表示器を備えたことを特徴とする伝送器のサポートツール。
【請求項２】
前記流量設定順序表示器は、手順内容の具体的な説明文を表示する手順内容説明文表示部と、実行中の一手順を強調して表示する手順実行中状態表示部と、を備えたことを特徴とする請求項１記載の伝送器のサポートツール。
【請求項３】
選択された前記演算の流量設定モードを格納する流量設定モード保持バッファと、実行中の手順の番号を格納する流量設定手順番号保持バッファと、前記説明文が格納された手順内容説明文字列バッファとを備え、
前記手順内容説明文表示部は、前記流量設定モード保持バッファの値に基づき前記手順内容説明文字列バッファの値を表示し、
前記手順実行中状態表示部は、前記流量設定手順番号保持バッファの値に基づき点灯表示する、
ことを特徴とする請求項２記載の伝送器のサポートツール。
【請求項４】
前記伝送器は、差圧、圧力及び温度から質量流量を算出する多変数伝送器であることを特徴とする請求項３記載の伝送器のサポートツール。
【発明の詳細な説明】
【技術分野】
【０００１】
本発明は、流量を計測し伝送する伝送器のサポートツールに関し、特に、プロセスの複数の物理量に関連する変数を入力し、これらの変数の演算する多変数伝送器（マルチバリアブル質量流量伝送器）のサポートツールに関する。
【背景技術】
【０００２】
多変数伝送器について図３に基づいて説明する。図３は、一般的な多変数伝送器の一実施例を示す構成図である（例えば、特許文献１参照。）。
【０００３】
多変数伝送器は、差圧センサ１、圧力センサ２、温度センサ３、アナログ／ディジタル（Ａ／Ｄ）コンバータ４、アナログ／ディジタル（Ａ／Ｄ）コンバータ５、アナログ／ディジタル（Ａ／Ｄ）コンバータ６、演算処理手段７、メモリ８、ディジタル／アナログ（Ｄ／Ａ）コンバータ９、出力手段１０、通信インターフェース（Ｉ／Ｆ）１４その他から形成される。
【０００４】
また、多変数伝送器は、伝送線を介して、外部負荷１１及び電源１２に接続される。さらにまた、多変数伝送器は、伝送線を介して、サポートツール１３に接続される。
【０００５】
さらに、差圧センサ１はプロセスの差圧を検出してアナログ電気信号に変換し、Ａ／Ｄコンバータ４はこのアナログ電気信号をディジタル信号ｅｄに変換する。また、圧力センサ２はプロセスの圧力を検出してアナログ電気信号に変換し、Ａ／Ｄコンバータ５はこのアナログ電気信号をディジタル信号ｅｐに変換する。さらに、温度センサ３はプロセスの温度を検出してアナログ電気信号に変換し、Ａ／Ｄコンバータ６はこのアナログ電気信号をディジタル信号ｅｔに変換する。
【０００６】
また、演算処理手段７は、マイクロプロセッサ（ＭＰＵ）を備え、差圧に係るディジタル信号ｐｄ、圧力に係るディジタル信号ｅｐ、温度に係るディジタル信号ｅｔに基づいて演算を実行し、質量流量信号ｅｑを算出し出力する。
【０００７】
さらに、メモリ８は、演算処理手段７に接続される。また、Ｄ／Ａコンバータ９は、ディジタル値である質量流量信号ｅｑをアナログ値に変換する。さらに、出力手段１０は、Ｄ／Ａコンバータ９の出力を４−２０ｍＡ等の電流伝送信号Ｉに変換し、伝送線を介して、多変数伝送器の外部の外部負荷１１及び電源１２に供給する。
【０００８】
このようにして、多変数伝送器は、流量を計測し伝送する。
【０００９】
また、多変数伝送器の外部のサポートツール１３は、出力手段１０（伝送線）に並列に接続する。さらにまた、多変数伝送器の内部の通信Ｉ／Ｆ１４の入力は出力手段１０に並列に接続し、通信Ｉ／Ｆ１４の出力は演算処理手段７に接続する。
【００１０】
さらに、サポートツール１３は、例えば、パーソナルコンピュータ（ＰＣ）を用いて形成する。また、サポートツール１３は、グラフィカルユーザインターフェース（ＧＵＩ）の流量設定入力画面（図示せず）その他を備える。
【００１１】
そして、サポートツール１３は、多変数伝送器の外部から多変数伝送器内の演算に係る設定（Ｃｏｎｆｉｇｕｒａｔｉｏｎ）を行う。
【００１２】
第１に、サポートツール１３において、作業者は流量設定入力画面を介して、プライマリエレメント情報、流体情報等から成るユーザデータを入力する。詳しくは、作業者がキーボード等のインターフェースから入力した内容が流量設定入力画面２１に表示され、作業者は表示された内容を確認ながらユーザデータを正確にサポートツールに入力する。なお、このユーザデータは、人間が理解しやすいデータで形成される。
【００１３】
第２に、サポートツール１３において、サポートツールは、ユーザデータから伝送器パラメータを自動計算する。なお、伝送器パラメータは、多変数伝送器に用いる近似係数等から成り、人間が理解しにくいデータで形成される。また、伝送器パラメータは、例えば、多変数伝送器内の（流量）演算を所定のものに設定するパラメータである。
【００１４】
第３に、サポートツール１３から伝送器に、伝送線及び通信インターフェース１４を介して、伝送器パラメータをダウンロードする。また、ダウンロードされた伝送器パラメータはメモリ８に格納される。
【００１５】
第４に、必要に応じて、多変数伝送器からサポートツール１３に、多変数伝送線及び通信インターフェース１４を介して、伝送器パラメータをアップロードする。
【００１６】
このようにして、サポートツール１３は、多変数伝送器の流量設定を実施する。
【００１７】
そして、差圧・圧力・温度を取り扱う多変数伝送器は、このようなＣｏｎｆｉｇｕｒａｔｉｏｎが有効な機器である。言い換えると、Ｃｏｎｆｉｇｕｒａｔｉｏｎが十分でないと、多変数伝送器は有効に機能できない。
【００１８】
また、多変数伝送器は、複数の流量設定モードを有する。具体的には、一方の流量設定モードは、詳細な設定を実施し精密な流量演算を実施する自動補償モード（Ａｕｔｏ  ｃｏｍｐｅｎｓａｔｉｏｎ  ｍｏｄｅ）であり、他方の流量設定モードは、簡易な設定を実施し簡便な流量演算を実施する基本モード（Ｂａｓｉｃ  ｍｏｄｅ）である。さらにまた、多変数伝送器は、設定するパラメータの種類が多いという固有の事情がある。
【００１９】
さらに、サポートツール１３は、Ｃｏｎｆｉｇｕｒａｔｉｏｎにより、これらのモードの切り替えと、これらの詳細なパラメータ設定を実施し、多変数伝送器の機能を操作する。また、サポートツール１３の流量設定入力画面は、複数ページから形成される。
【００２０】
【特許文献１】特開２００４−８５２８８号公報
【発明の開示】
【発明が解決しようとする課題】
【００２１】
しかしながら、サポートツール１３において、作業者が流量設定入力画面を介してユーザデータを入力する作業は、設定するパラメータの種類が多く、作業者の負担が大きいという課題がある。
【００２２】
詳しくは、複数の流量設定モードにより作業が煩雑となっている。また、複数ページのパラメータ設定の作業が煩雑となっている。
【００２３】
そして、このようなＣｏｎｆｉｇｕｒａｔｉｏｎの作業は、作業者（ユーザ）の高い技能に依存して実施されるという事情がある。また、Ｃｏｎｆｉｇｕｒａｔｉｏｎについての技術的開示は少ないという事情がある。
【００２４】
本発明の目的は、以上説明した課題を解決するものであり、作業者の負担が小さく、簡便で作業性が高い伝送器のサポートツールを提供することにある。また、本発明の目的は、ユーザデータが正確に設定できる伝送器のサポートツールを提供することにある。
【課題を解決するための手段】
【００２５】
このような目的を達成する本発明は、次の通りである。
（１）流量設定入力画面を介して入力されたユーザデータから流量を計測し伝送する伝送器に対する伝送器パラメータを自動計算し、前記伝送器パラメータを前記伝送器の外部から前記伝送器内へダウンロードして、前記伝送器内の演算に係る設定を行う、伝送器のサポートツールにおいて、前記ユーザデータの設定順序を視覚的に表示する流量設定順序表示器を備えたことを特徴とする伝送器のサポートツール。
（２）前記流量設定順序表示器は、手順内容の具体的な説明文を表示する手順内容説明文表示部と、実行中の一手順を強調して表示する手順実行中状態表示部と、を備えたことを特徴とする（１）記載の伝送器のサポートツール。
（３）選択された前記演算の流量設定モードを格納する流量設定モード保持バッファと、実行中の手順の番号を格納する流量設定手順番号保持バッファと、前記説明文が格納された手順内容説明文字列バッファとを備え、前記手順内容説明文表示部は、前記流量設定モード保持バッファの値に基づき前記手順内容説明文字列バッファの値を表示し、前記手順実行中状態表示部は、前記流量設定手順番号保持バッファの値に基づき点灯表示する、ことを特徴とする（２）記載の伝送器のサポートツール。
（４）前記伝送器は、差圧、圧力及び温度から質量流量を算出する多変数伝送器であることを特徴とする（３）記載の伝送器のサポートツール。
【発明の効果】
【００２６】
本発明によれば次のような効果がある。
本発明によれば、作業者の負担が小さく、簡便で作業性が高い伝送器のサポートツールを提供できる。また、本発明によれば、ユーザデータが正確に設定できる伝送器のサポートツールを提供できる。
【００２７】
また、作業者は、設定順序を視覚的に認識できる。さらに、作業者は、どのような設定をどの順序で行うのか直感的に認識できる。また、作業者は、設定状態の正確な把握が可能となる。
【発明を実施するための最良の形態】
【００２８】
以下に図１に基づいて本発明を詳細に説明する。図１は、本発明の一実施例を示す構成図である。このようなサポートツール１３は、例えば、図３に示した多変数伝送器に接続される。
【００２９】
図１の実施例の特徴は、流量設定入力画面２１とは別に、流量設定順序表示器２２を新たに設けた点にある。そして、流量設定順序表示器２２は、ユーザデータの設定順序を視覚的に表示する。
【００３０】
また、例えば、流量設定順序表示器２２は、手順１内容説明文表示部３１、手順２内容説明文表示部３２、・・・、手順ｎ内容説明文表示部３ｎからなる手順内容説明文表示部（３１，３２，・・・，３ｎ）を備える。さらに、流量設定順序表示器２２は、手順１手順実行中状態表示部４１、手順２手順実行中状態表示部４２、・・・、手順ｎ手順実行中状態表示部４ｎからなる手順実行中状態表示部（４１，４２，・・・，４ｎ）を備える。
【００３１】
そして、手順内容説明文表示部（３１，３２，・・・，３ｎ）は、例えば、文字列を表示し、手順内容の具体的な説明文を表示する。そしてまた、手順実行中状態表示部（４１，４２，・・・，４ｎ）は、例えば、実行中の一手順の部分のみに対して、点灯させるようにして、強調して表示する。
【００３２】
また、流量設定モード保持バッファ２３が流量設定入力画面２１に接続される。さらにまた、流量設定モード保持バッファ２３は、流量設定入力画面２１を介して選択された伝送器内の演算の流量設定モードを格納する。
【００３３】
具体的には、例えば、流量設定モードが、自動補償モード（Ａｕｔｏ Ｃｏｍｐｅｎｓａｔｉｏｎ Ｍｏｄｅ）であるとき、流量設定モード保持バッファ２３は値０を格納する。さらにまた、例えば、流量設定モードが、基本モード（Ｂａｓｉｃ Ｍｏｄｅ）であるとき、流量設定モード保持バッファ２３は値１を格納する。
【００３４】
さらに、流量設定手順番号保持バッファ２４は、流量設定入力画面２１に接続され、流量設定モード保持バッファ２３の値を入力する。また、流量設定手順番号保持バッファ２４は、実行中の手順の番号を格納する。
【００３５】
具体的には、例えば、Ａｕｔｏ Ｃｏｍｐｅｎｓａｔｉｏｎ Ｍｏｄｅでは手順１から手順７があり、流量設定手順番号保持バッファ２４はこれに対応する値１から値７の何れかを格納する。さらに、例えば、Ｂａｓｉｃ Ｍｏｄｅでは、手順１から手順３があり流量設定手順番号保持バッファ２４はこれに対応する値１から値３の何れかを格納する。
【００３６】
また、手順内容説明文字列バッファ２５は、流量設定モード保持バッファ２３の値を入力する。さらにまた、手順内容説明文字列バッファ２５は、手順内容の具体的な説明文が予め格納されている。
【００３７】
ここで、図１及び図２を用いて、手順内容説明文字列バッファ２５の構成を詳しく説明する。図２は、本発明の手順内容説明文字列バッファ２５の一実施例を示す構成図である。
【００３８】
図１の流量設定モード保持バッファ２３の値が０のときは、図２の手順内容説明文字列バッファ２５は、Ａｕｔｏ Ｃｏｍｐｅｎｓａｔｉｏｎ Ｍｏｄｅ用手順内容説明文字列バッファ５０を選択する。また、図１の流量設定モード保持バッファ２３の値が１のときは、図２の手順内容説明文字列バッファ２５は、Ｂａｓｉｃ Ｍｏｄｅ用手順内容説明文字列バッファ６０を選択する。
【００３９】
図２において、Ａｕｔｏ Ｃｏｍｐｅｎｓａｔｉｏｎ Ｍｏｄｅ用手順内容説明文字列バッファ５０は、手順１内容説明文５１、手順２内容説明文５２、・・・手順ｎ内容説明文５ｎから形成される。同様に、Ｂａｓｉｃ Ｍｏｄｅ用手順内容説明文字列バッファ６０は、手順１内容説明文６１、手順２内容説明文６２、・・・手順ｎ内容説明文６ｎから形成される。
【００４０】
そして、例えば、手順１内容説明文５１には文字列「流量設定モードの選択」が格納され、手順２内容説明文５２には文字列「プライマリエレメント情報の選択」が格納され、手順３内容説明文５３には文字列「流体種類の選択」が格納され、手順４内容説明文５４には文字列「天然ガスの設定」が格納され、手順５内容説明文５５には文字列「流体の動作条件の設定」が格納され、手順６内容説明文５６には文字列「流体の物性情報の設定」が格納され、手順７内容説明文５７には文字列「データの保存とダウンロード」が格納さる。
【００４１】
また、例えば、手順１内容説明文６１には文字列「流量設定モードの選択」が格納され、手順２内容説明文６２には文字列「Ｂａｓｉｃモードパラメータの設定」が格納され、手順３内容説明文６３には文字列「データの保存とダウンロード」が格納される。
【００４２】
さらに、図１の実施例において、手順内容説明文表示部（３１，３２，・・・，３ｎ）は、手順内容説明文字列バッファ２５の値を入力する。さらに、手順実行中状態表示部（４１，４２，・・・，４ｎ）は、流量設定手順番号保持バッファ２４の値を入力する。
【００４３】
このように構成された図１及び図２の実施例の動作を順に説明する。
【００４４】
まず、流量設定モードがＡｕｔｏ Ｃｏｍｐｅｎｓａｔｉｏｎ Ｍｏｄｅのとき、図１の手順１内容説明文表示部３１は図２の手順１内容説明文５１に接続され、図１の手順２内容説明文表示部３２は図２の手順２内容説明文５２に接続され、・・・、図１の手順ｎ内容説明文表示部３ｎは図２の手順ｎ内容説明文５ｎに接続される。
【００４５】
その結果、手順１内容説明文表示部３１には文字列「流量設定モードの選択」が表示され、手順２内容説明文表示部３２には文字列「プライマリエレメント情報の選択」が表示され、手順３内容説明文表示部３３には文字列「流体種類の選択」が表示され、手順４内容説明文表示部３４には文字列「天然ガスの設定」が表示され、手順５内容説明文表示部３５には文字列「流体の動作条件の設定」が表示され、手順６内容説明文表示部３６には文字列「流体の物性情報の設定」が表示され、手順７内容説明文表示部３７には文字列「データの保存とダウンロード」が表示される。
【００４６】
そして、手順１となると、流量設定手順番号保持バッファ２４は値１を格納し、手順１実行中状態表示部４１のみが点灯する。また、手順２となると、流量設定手順番号保持バッファ２４は値２を格納し、手順２実行中状態表示部４２のみが点灯する。以下同様に動作する。
【００４７】
つまり、流量設定順序表示器２２は、ユーザデータの設定順序を視覚的に表示し、どこの手順を作業しているのかリアルタイムに示す。したがって、作業者は、複数ページにまたがる大量のユーザデータであっても、どのような設定をどの順序で行うのか直感的に把握することができる。この結果、作業者は、効率の良いユーザデータの入力ができる。
【００４８】
次に、流量設定モードがＢａｓｉｃ Ｍｏｄｅのとき、図１の手順１内容説明文表示部３１は図２の手順１内容説明文６１に接続され、図１の手順２内容説明文表示部３２は図２の手順２内容説明文６２に接続され、・・・、図１の手順内容説明文表示部３ｎは図２の手順ｎ内容説明文６ｎに接続される。
【００４９】
その結果、手順１内容説明文表示部３１には文字列「流量設定モードの選択」が表示され、手順２内容説明文表示部３２には文字列「Ｂａｓｉｃモードパラメータの設定」が表示され、手順３内容説明文表示部３３には文字列「データの保存とダウンロード」が表示される。
【００５０】
そして、手順１となると、流量設定手順番号保持バッファ２４は値１を格納し、手順１実行中状態表示部４１のみが点灯する。また、手順２となると、流量設定手順番号保持バッファ２４は値２を格納し、手順２実行中状態表示部４２のみが点灯する。以下同様に動作する。
【００５１】
したがって、作業者は、流量設定モードが複数ある場合であっても、混同して間違うことがない。この結果、作業者は、効率の良いユーザデータの入力ができる。
【００５２】
また、上述の実施例は多変数伝送器についてのものであったが、一般的な伝送器についても同等の構成にすれば、同様の作用効果がある。
【００５３】
以上のように、本発明は、上述の実施例に限定されることなく、その本質を逸脱しない範囲でさらに多くの変更及び変形を含むものである。
【図面の簡単な説明】
【００５４】
【図１】本発明の一実施例を示す構成図である。
【図２】本発明の手順内容説明文字列バッファ２５の一実施例を示す構成図である。
【図３】一般的な多変数伝送器の一実施例を示す構成図である。
【符号の説明】
【００５５】
１３  サポートツール
２１  流量設定入力画面
２２  流量設定順序表示器
２３  流量設定モード保持バッファ
２４  流量設定手順番号保持バッファ
２５  手順内容説明文字列バッファ
３１，３２，・・・，３ｎ  手順内容説明文表示部
４１，４２，・・・，４ｎ  手順実行中状態表示部
【図１】
2006214789.tif 000003
【図２】
2006214789.tif 000004
【図３】
2006214789.tif 000005